(57)【特許請求の範囲】
【請求項１】
架線を電気的に区分した区分装置を形成する導電線であって、絶縁体の繊維からなる芯部材と、該芯部材の外周に形成された導電体と、前記区分装置を形成する導電線の外周に形成された導電体の所定箇所の導電体に代えて形成される絶縁部材とを具備することを特徴とする外周の所定箇所に絶縁部位を有する導電線。
【請求項２】
請求項１記載の外周の所定箇所に絶縁部位を有する導電線において、前記外周に形成された導電体の所定箇所が導電線の端部であることを特徴とする外周の所定箇所に絶縁部位を有する導電線。
【請求項３】
請求項１記載の外周の所定箇所に絶縁部位を有する導電線において、前記外周に形成された導電体の所定箇所が導電線の途中部分であることを特徴とする外周の所定箇所に絶縁部位を有する導電線。
【請求項４】
請求項１、２又は３記載の外周の所定箇所に絶縁部位を有する導電線において、前記芯部材が低熱膨張材料からなることを特徴とする外周の所定箇所に絶縁部位を有する導電線。
【請求項５】
請求項１、２又は３記載の外周の所定箇所に絶縁部位を有する導電線において、前記導電体は、銅又はアルミニウムからなることを特徴とする外周の所定箇所に絶縁部位を有する導電線。
【請求項６】
請求項１、２又は３記載の外周の所定箇所に絶縁部位を有する導電線において、前記絶縁部材は、前記芯部材の周囲に絶縁性樹脂を塗布して前記導電体と同じ外径としたＦＲＰ部材からなることを特徴とする外周の所定箇所に絶縁部位を有する導電線。
【請求項７】
請求項１、２又は３記載の外周の所定箇所に絶縁部位を有する導電線において、前記絶縁部材は、前記芯部材に絶縁性樹脂を染み込ませて膨張させて前記導電体と同じ外径としたＦＲＰ部材からなることを特徴とする外周の所定箇所に絶縁部位を有する導電線。
【請求項８】
請求項１、２又は３記載の外周の所定箇所に絶縁部位を有する導電線において、前記絶縁部材は、前記芯部材の周囲をガラスクロスと絶縁性樹脂を用いて前記導電体と同じ外径としたＦＲＰ部材からなることを特徴とする外周の所定箇所に絶縁部位を有する導電線。
【請求項９】
請求項１、２又は３記載の外周の所定箇所に絶縁部位を有する導電線において、前記絶縁部材は、前記芯部材の周囲に絶縁性樹脂をガラスクロスに含浸させてプリプレグシートを巻き付けて硬化させたものであることを特徴とする外周の所定箇所に絶縁部位を有する導電線。
【請求項１０】
請求項１、２又は３記載の外周の所定箇所に絶縁部位を有する導電線において、前記絶縁部材は、前記芯部材の周囲に絶縁性樹脂をガラスクロスに含浸させてプリプレグシートを巻き付けて設置後に硬化させることを特徴とする外周の所定箇所に絶縁部位を有する導電線。
【請求項１１】
請求項６〜１０の何れか一項記載の外周の所定箇所に絶縁部位を有する導電線において、前記絶縁性樹脂がエポキシ樹脂であることを特徴とする外周の所定箇所に絶縁部位を有する導電線。
【発明の詳細な説明】
【技術分野】
【０００１】
本発明は、トロリ線やき電ちょう架式を含むちょう架線などの導電線に関するものである。
【背景技術】
【０００２】
従来、トロリ線やちょう架線などの高速用区分装置は、以下のように構成されている。
架線を電気的に区分して、パンタグラフが通過できる構造にしたものを区分装置（セクション：デッドセクションやエアーセクション）という。交流電化区間では、変電所ごとに電圧の位相が異なるため、変電所の境界では本線上にもセクションが必要である。
図８はかかる従来のデッドセクションを示す模式図である。
【０００３】
この図において、１０１はトロリ線、１０２はＦＲＰインシュレータ（２ｍ×４本）、１０３はちょう架線、１０４は連結ロッド、１０５は懸垂がいし、１０６は連結金具である。
ＦＲＰインシュレータ１０２の絶縁本体はＧＦＲＰのクロスをすし巻きにして、長方形断面にプレスしたもので、２ｍ長を４本接続して使用している。
【０００４】
このように、交流電化区間では変電所ごとに位相が異なるため、その境界において位相短絡を防ぐため、絶縁区間（デッドセクション）等を設ける必要がある。在来線では図８に示すように主にＦＲＰインシュレータが用いられているが、剛性および単位長さの質量が通常のトロリ線より大きいため集電性能が劣る。そのため、車両が高速でこの区間を通過すると衝撃力が生じ、パンタグラフと架線に損傷を起こしやすい。
【０００５】
一方、本願発明者は、トロリ線やちょう架線などの導電線として、総合的な熱膨張係数の小さい導電線の開発を行っている（下記特許文献１，２参照）。
【特許文献１】特開２００６−８５９１４号公報
【特許文献２】特開２００７−１１８６７０公報
【発明の開示】
【発明が解決しようとする課題】
【０００６】
上記したように、従来のデッドセクションにおいては、ＦＲＰインシュレータが用いられるが集電性能が低く、この区間を車両が通過すると衝撃力を生じ、パンタグラフと架線に損傷を起こしやすいといった問題が生じている。
また、デッドセクションの構成が複雑になっており、シンプル化が望まれるところである。
【０００７】
本発明は、上記状況に鑑みて、デッドセクションなどにおけるトロリ線やちょう架線などの導電線の簡素化を図り、架線事故を低減することができる外周の所定箇所に絶縁部位を有する導電線を提供することを目的とする。
【課題を解決するための手段】
【０００８】
本発明は、上記目的を達成するために、
〔１〕外周の所定箇所に絶縁部位を有する導電線において、架線を電気的に区分した区分装置を形成する導電線であって、絶縁体の繊維からなる芯部材と、この芯部材の外周に形成された導電体と、前記区分装置を形成する導電線の外周に形成された導電体の所定箇所の導電体に代えて形成される絶縁部材とを具備することを特徴とする。
【０００９】
〔２〕上記〔１〕記載の外周の所定箇所に絶縁部位を有する導電線において、前記外周に形成された導電体の所定箇所が導電線の端部であることを特徴とする。
〔３〕上記〔１〕記載の外周の所定箇所に絶縁部位を有する導電線において、前記外周に形成された導電体の所定箇所が導電線の途中部分であることを特徴とする。
〔４〕上記〔１〕、〔２〕又は〔３〕記載の外周の所定箇所に絶縁部位を有する導電線において、前記芯部材が低熱膨張材料からなることを特徴とする。
【００１０】
〔５〕上記〔１〕、〔２〕又は〔３〕記載の外周の所定箇所に絶縁部位を有する導電線において、前記導電体は、銅又はアルミニウムからなることを特徴とする。
〔６〕上記〔１〕、〔２〕又は〔３〕記載の外周の所定箇所に絶縁部位を有する導電線において、前記絶縁部材は、前記芯部材の周囲に絶縁性樹脂を塗布して前記導電体と同じ外径としたＦＲＰ部材からなることを特徴とする。
【００１１】
〔７〕上記〔１〕、〔２〕又は〔３〕記載の外周の所定箇所に絶縁部位を有する導電線において、前記絶縁部材は、前記芯部材に絶縁性樹脂を染み込ませて膨張させて前記導電体と同じ外径としたＦＲＰ部材からなることを特徴とする。
〔８〕上記〔１〕、〔２〕又は〔３〕記載の外周の所定箇所に絶縁部位を有する導電線において、前記絶縁部材は、前記芯部材の周囲をガラスクロスと絶縁性樹脂を用いて前記導電体と同じ外径としたＦＲＰ部材からなることを特徴とする。
【００１２】
〔９〕上記〔１〕、〔２〕又は〔３〕記載の外周の所定箇所に絶縁部位を有する導電線において、前記絶縁部材は、前記芯部材の周囲に絶縁性樹脂をガラスクロスに含浸させてプリプレグシートを巻き付けて硬化させたものであることを特徴とする。
〔１０〕上記〔１〕、〔２〕又は〔３〕記載の外周の所定箇所に絶縁部位を有する導電線において、前記絶縁部材は、前記芯部材の周囲に絶縁性樹脂をガラスクロスに含浸させてプリプレグシートを巻き付けて設置後に硬化させることを特徴とする。
【００１３】
〔１１〕上記〔６〕〜〔１０〕の何れか一項記載の外周の所定箇所に絶縁部位を有する導電線において、前記絶縁性樹脂がエポキシ樹脂であることを特徴とする。
【発明の効果】
【００１４】
本発明によれば、次のような効果を奏することができる。
（１）デッドセクションなどにおけるトロリ線やちょう架線などの導電線の配置の簡素化とシンプル化を図り、架線事故を低減することができる。
（２）トロリ線、ちょう架線の張力は芯部材が受け持つため、接続がなく、均一な張力を加えることができる。接続がないので構造上、保守上有利である。
【００１５】
（３）芯部材として低熱膨張特性のあるザイロン（登録商標）やダイニーマ（登録商標）を使用した場合には、低熱膨張導電線であるために、外部温度による導電線の膨張を抑えることができ、トロリ線やちょう架線の弛度を低減し、複数の電線が平行して配置される場合には、それらの電線の短絡事故を防止することができる。
【発明を実施するための最良の形態】
【００１６】
本発明の外周の所定箇所に絶縁部位を有する導電線は、架線を電気的に区分した区分装置を形成する導電線であって、絶縁体の繊維からなる芯部材と、この芯部材の外周に形成された導電体と、前記区分装置を形成する導電線の外周に形成された導電体の所定箇所の導電体に代えて形成される絶縁部材とを具備する。
【実施例】
【００１７】
以下、本発明の実施の形態について詳細に説明する。
図１は本発明の第１実施例を示す外周の所定箇所に絶縁部位を有する導電線の斜視図、図２はその導電線の断面図、図３は図１の拡大断面図であり、図３（ａ）は図１のＡ−Ａ線拡大断面図、図３（ｂ）は図１のＢ−Ｂ線拡大断面図、図４はその外周の所定箇所に絶縁部位を有する導電線の引留装置を示す図である。
【００１８】
これらの図において、１はＰＢＯ繊維（絶縁体の繊維）である「ザイロン」や超高分子量ポリエチレン繊維（絶縁体の繊維）である「ダイニーマ」からなる芯部材、２はこの芯部材１の外周に形成される銅やアルミニウムからなる導電体、３は導電線の端部４の芯部材外周に導電体２に代わって形成される絶縁部材、５は引留装置、６は電柱、７は引留バンド、８は碍子、９は絶縁部材３が接続される引留部材である。
【００１９】
その絶縁部材３としては、
（１）芯部材１の周囲に絶縁性樹脂、例えば、エポキシ樹脂を塗布して導電体２と同じ外径としたＦＲＰ部材を用いることができる。
（２）芯部材１に絶縁性樹脂、例えば、エポキシ樹脂を染み込ませて膨張させて導電体２と同じ外径としたＦＲＰ部材を用いることができる。
【００２０】
（３）芯部材１の周囲をガラスクロスと絶縁性樹脂、例えば、エポキシ樹脂を用いて導電体と同じ外径としたＦＲＰ部材を用いることができる。
（４）芯部材１の周囲に、例えば、エポキシ樹脂をガラスクロスに含浸させてプリプレグシートを巻き付けて硬化させたものを用いることができる。
（５）芯部材の周囲に絶縁性樹脂をガラスクロスに含浸させてプリプレグシートを巻き付けて設置後に硬化させたものを用いることができる。
【００２１】
このように、複合された導電線の端部４の外周は絶縁部材３によって絶縁されるように構成されている。したがって、複合された導電線の端部４は容易に絶縁をとることができるので、簡単な固定具で固定部（図示なし）に支持することができる。従来のように、トロリ線の支持のために、連結金具、連結ロッドや懸垂がいしを用いることなく、複合された導電線の端部４を簡便に、図４に示す引留装置５に支持することができる。
【００２２】
特に、電気鉄道の変電所境界で異なる変電所から電力が供給される２本のトロリ線が並列に張られたエアーセクションにおいて、並列に張られた２本のトロリ線のうち、片側のみパンタグラフと通電可能とし、他方は絶縁するようにした構成が可能となる。このような構成により、２本の電圧の異なるトロリ線がパンタグラフを短絡して、過電流によるトロリ線の破断を引き起こすといった事故を防止することができる。
【００２３】
また、この導電線は低熱膨張導電線であるために、外部温度による導電線の膨張を抑えることができる。
したがって、トロリ線やちょう架線などに用いると、その固定部への取り付けが容易になるとともに、トロリ線やちょう架線の弛度を低減し、複数の電線が平行して配置される場合には、それらの電線の短絡事故を防止することができる。
【００２４】
図５は本発明の第２実施例を示す外周の所定箇所に絶縁部位を有する導電線の斜視図、図６はその導電線の断面図、図７は図５の拡大断面図であり、図７（ａ）は図５のＣ−Ｃ線拡大断面図、図７（ｂ）は図５のＤ−Ｄ線拡大断面図である。なお、引留装置は、図４に示したと同様のものを用いることができる。
これらの図において、１１はＰＢＯ繊維（絶縁体の繊維）である「ザイロン」や超高分子量ポリエチレン繊維（絶縁体の繊維）である「ダイニーマ」からなる芯部材、１２はこの芯部材１１の外周に形成される銅やアルミニウムからなる導電体、１３は導電線の中間部１４の芯部材１１の外周に導電体１２に代わって形成される絶縁部材である。
【００２５】
また、絶縁部材１３としては、第１実施例に示したものと同様のものを用いることができる。
このように、複合された導電線の中間部１４の外周は絶縁部材１３によって絶縁されるように構成されている。したがって、複合された導電線の中間部１４は容易に絶縁をとることができるので、導電線の途中でデッドセクションを形成することができる。しかも、そのデッドセクションの構成がシンプルで、簡素化することができる。従来のように、トロリ線の支持のために、連結金具、連結ロッドや懸垂がいしを用いることなく、簡便に固定部に取り付けることができる。
【００２６】
また、第１実施例と同様に、トロリ線やちょう架線などに用いると、その固定部への取り付けが簡便になるとともに、トロリ線やちょう架線の弛度を低減し、複数の電線が平行して配置される場合には、それらの電線の短絡事故を防止することができる。
また、途中で絶縁部材を接続する必要がなく、一本の芯部材で支持されるため、高い張力が保持でき、切断などの事故も低減できて高い信頼性を得ることができる。
【００２７】
したがって、本発明の外周の所定箇所に絶縁部位を有する導電線をトロリ線として用いると、このような絶縁区間の集電性能を向上させ、鉄道車両はパンタグラフと架線に損傷を起こさずに高速で通過することができる。
また、高強度で導電性のない繊維を芯部材として配置し、その周囲に導電材料および絶縁材料を配置して一体構造とするため、張力は芯材となる繊維が受け持ち、これまでのトロリ線と同様に適切な張力を与えた状態で敷設することができる。また、上記した第２実施例のような導電線をトロリ線として使用すると、２本を並行に配置することなく、１本のトロリ線を用いた通常のトロリ線構造で、変電所の給電区間を分けることができる。
【００２８】
なお、上記実施例では、芯部材として、低熱膨張材料であるザイロン又はダイニーマを示したが、これに限定されるものではなく、絶縁材料、例えば、有機系絶縁材料、高強度スーパー繊維〔ケブラー（登録商標）、テクノーラ（登録商標）などのアラミド系繊維など）を用いるようにしてもよい。
また、本発明によれば、特に、き電線を兼ね電気を流すき電ちょう架線へも適用できる。
【００２９】
なお、本発明は上記実施例に限定されるものではなく、本発明の趣旨に基づき種々の変形が可能であり、これらを本発明の範囲から排除するものではない。
【産業上の利用可能性】
【００３０】
本発明の外周の所定箇所に絶縁部位を有する導電線は、デッドセクションでのトロリ線の配置の簡素化を図ることができるとともに、弛度を抑えることによる給電事故を防止できる導電線として利用することができる。
【図面の簡単な説明】
【００３１】
【図１】本発明の第１実施例を示す外周の所定箇所に絶縁部位を有する導電線の斜視図である。
【図２】本発明の第１実施例を示す外周の所定箇所に絶縁部位を有する導電線の断面図である。
【図３】図１の拡大断面図である。
【図４】本発明の外周の所定箇所に絶縁部位を有する導電線の引留装置を示す図である。
【図５】本発明の第２実施例を示す外周の所定箇所に絶縁部位を有する導電線の斜視図である。
【図６】本発明の第２実施例を示す外周の所定箇所に絶縁部位を有する導電線の断面図である。
【図７】図６の拡大断面図である。
【図８】従来のデッドセクションを示す模式図である。
【符号の説明】
【００３２】
１，１１    芯部材
２，１２    芯部材の外周に形成される導電体
３    導電線の端部の芯部材の外周に導電体に代わって形成される絶縁部材
４    導電線の端部
５ 引留装置
６ 電柱
７ 引留バンド
８ 碍子
９ 引留部材
１３  導電線の中間部の芯部材の外周に導電体に代わって形成される絶縁部材
１４    導電線の中間部
【図１】
0005198049.tif 000002
【図２】
0005198049.tif 000003
【図３】
0005198049.tif 000004
【図４】
0005198049.tif 000005
【図５】
0005198049.tif 000006
【図６】
0005198049.tif 000007
【図７】
0005198049.tif 000008
【図８】
0005198049.tif 000009